(57)【要約】【課題】指先の先端側と根元側を共に安定した状態で挟むことができ、測定の信頼性を高めることのできる光電式生体情報測定装置の指先クリップを提供する。【解決手段】指先挿入部５を挟んで対向する一対の挟持部材１、２と、指先挿入方向の先端側に配され挟持部材を回動可能に連結する軸１３と、挟持部材を閉方向に付勢する閉バネと、挟持部材に設けられた発光部６及び受光部７と、を具備し、軸受孔１２を長孔として挟持部材の連結部に遊びを持たせ、閉バネとして、軸に近い先端側の部分に付勢力を及ぼす指先側閉バネ１４Ａと、軸から遠い手元端側の部分に付勢力を及ぼす根元側閉バネ１４Ｂとを設けた。【選択図】図１
2006305149.tif 000002
【特許請求の範囲】
【請求項１】
指先挿入部を挟んで対向する一対の挟持部材と、
指先挿入方向の先端側に配され、前記一対の挟持部材を、前記指先挿入部を開閉する方向に回動自在に連結する軸と、
前記一対の挟持部材を前記指先挿入部を閉じる方向に付勢する閉バネと、
前記一対の挟持部材に挟持された指先に対し光を照射する発光部、及び、該発光部より照射され指先を透過した光または指先から反射した光を受光する受光部と、を具備した光電式生体情報測定装置の指先クリップにおいて、
前記軸による両挟持部材の連結部に挟持部材を開く方向の遊びを持たせると共に、
前記閉バネとして、前記軸に近い先端側の部分に付勢力を及ぼして、挿入された指先の先端側に挟持力を付与する指先側閉バネと、前記軸から遠い手元端側の部分に前記付勢力を及ぼして、挿入された指先の根元側に挟持力を付与する根元側閉バネと、を設けたことを特徴とする光電式生体情報測定装置の指先クリップ。
【請求項２】
請求項１に記載の光電式生体情報測定装置の指先クリップであって、
前記軸を受ける軸受孔を、前記挟持部材が離間する方向に長い長孔とし、該長孔よりなる軸受孔に前記軸をスライド自在に嵌めることにより、両挟持部材の連結部に挟持部材が開く方向の遊びを持たせたことを特徴とする光電式生体情報測定装置の指先クリップ。
【請求項３】
請求項１または２に記載の光電式生体情報測定装置の指先クリップであって、
前記指先側閉バネを前記軸に近い挟持部材上の先端側の作用点に圧接させ、前記根元側閉バネを前記軸から遠い挟持部材上の手元端側の作用点に圧接させたことを特徴とする光電式生体情報測定装置の指先クリップ。
【請求項４】
請求項３に記載の光電式生体情報測定装置の指先クリップであって、
前記指先側閉バネと前記根元側閉バネとを１枚の板バネ上に形成したことを特徴とする光電式生体情報測定装置の指先クリップ。
【請求項５】
請求項４に記載の光電式生体情報測定装置の指先クリップであって、
一対の挟持バネ片を有するＵ字状に湾曲した板バネを、前記一対の挟持部材の先端部に、該先端部を前記挟持バネ片で挟むように装着し、各挟持バネ片に、互いにスリットで分割された長さの異なる第１バネ片と第２バネ片を設け、短い方の第１バネ片を前記指先側閉バネとして、その先端を、前記軸に近い挟持部材上の先端側の作用点に圧接させ、長い方の第２バネ片を前記根元側閉バネとして、その先端を、前記軸から遠い挟持部材上の手元端側の作用点に圧接させたことを特徴とする光電式生体情報測定装置の指先クリップ。
【請求項６】
請求項１または２に記載の光電式生体情報測定装置の指先クリップであって、
前記一対の挟持部材のうちの第１の挟持部材の手元端側を前記指先挿入部を開く方向に向けて付勢する開バネを設けると共に、第２の挟持部材にスライド自在にスライドカバーを設け、該スライドカバーは、一方へスライドしたとき前記開バネによる第１の挟持部材の開方向への変位を許し、他方へスライドしたとき自身に形成してあるカムが第１の挟持部材の手元端側を押圧して、それにより、前記開バネの付勢力に抗して第１の挟持部材を閉方向へ変位させるものであり、更に、前記スライドカバーを他方へスライドさせる方向へ付勢する戻しバネを設け、この戻しバネによる前記スライドカバーへの付勢力を前記根元側閉バネの付勢力として利用したことを特徴とする光電式生体情報測定装置の指先クリップ。
【請求項７】
請求項６に記載の光電式生体情報測定装置の指先クリップであって、
１枚の板バネ上に、互いにスリットで分割された第１バネ片と第２バネ片を設け、第１バネ片を前記指先側閉バネとして利用し、第２バネを前記開バネとして利用したことを特徴とする光電式生体情報測定装置の指先クリップ。
【請求項８】
請求項６または７に記載の光電式生体情報測定装置の指先クリップであって、
前記スライドカバーを、回転スライド自在に前記第２の挟持部材に設けたことを特徴とする光電式生体情報測定装置の指先クリップ。
【請求項９】
請求項６または７に記載の光電式生体情報測定装置の指先クリップであって、
前記スライドカバーを、直線スライド自在に前記第２の挟持部材に設けたことを特徴とする光電式生体情報測定装置の指先クリップ。
【発明の詳細な説明】
【技術分野】
【０００１】
本発明は、指先を挿入して挟むことにより、血液中の酸素濃度などの成分を測定する光電式生体情報測定装置の指先クリップに関するものである。
【背景技術】
【０００２】
血液中の酸素濃度などの成分を測定するパルスオキシメータの検出端として、指先を挿入して挟持する指先クリップが用いられている（例えば、特許文献１参照）。
【０００３】
図１１は従来の指先クリップの例を概略的に示している。
この指先クリップは、指先挿入部５を挟んで対向する第１、第２の一対の挟持部材１、２と、指先挿入方向Ｓの先端側に配され、第１、第２の挟持部材１、２を指先挿入部５を開閉する方向に回動自在に連結する軸３と、第１、第２の挟持部材１、２を指先挿入部５を閉じる方向に付勢する閉バネ４と、第１、第２の挟持部材１、２の一方に設けられた発光部（ＬＥＤ）６、及び、他方に設けられ、発光部６から照射され指先を通過した光を受光する受光部（フォトダイオード）７と、を具備しており、図１２に示すように、発光部６と受光部７との間に指先Ｍを挿入して、閉バネ４の力で挟持するように構成されている。この状態で、発光部６から発する光を、指先Ｍの血管内を流れる血液を通して、受光部７で受光することにより、受光部７の出力に基づいて血液中の成分を測定することができる。 
【特許文献１】実用新案登録第２５７４６２８号公報
【発明の開示】
【発明が解決しようとする課題】
【０００４】
ところで、指の太さには個人差があり、従来のように１つの軸３と１つの閉バネ４だけで挟持部材１、２を閉方向に付勢する構造では、指全体に挟持部材１、２をフィットさせることは難しい。例えば、図１２（ａ）に示すように、指の太い人は、指先Ｍの先端側だけがきつくなり、根元側がゆるくなってしまう。先端側がきつくなりすぎると血行の妨げになり、根元側がゆるくなりすぎると、外光Ｂの影響を受けやすくなり、正しい測定の障害となる。また、（ｂ）に示すように、指の細い人は、その逆となり、指先Ｍの先端部の隙間からの発光部６の光の回り込みによる影響を受けやすくなる。また、発光部６からの光Ａがずれて受光部７に入射する可能性もある。これらの問題は、発光部６と受光部７が逆についている場合も同様である。
【０００５】
本発明は、上記事情を考慮し、指先の先端側と根元側を共に安定した状態で挟むことができ、測定の信頼性を高めることのできる光電式生体情報測定装置の指先クリップを提供することを目的とする。
【課題を解決するための手段】
【０００６】
請求項１の発明は、指先挿入部を挟んで対向する一対の挟持部材と、指先挿入方向の先端側に配され、前記一対の挟持部材を、前記指先挿入部を開閉する方向に回動自在に連結する軸と、前記一対の挟持部材を前記指先挿入部を閉じる方向に付勢する閉バネと、前記一対の挟持部材に挟持された指先に対し光を照射する発光部、及び、該発光部より照射され指先を透過した光または指先から反射した光を受光する受光部と、を具備した光電式生体情報測定装置の指先クリップにおいて、前記軸による両挟持部材の連結部に挟持部材を開く方向の遊びを持たせると共に、前記閉バネとして、前記軸に近い先端側の部分に付勢力を及ぼして、挿入された指先の先端側に挟持力を付与する指先側閉バネと、前記軸から遠い手元端側の部分に前記付勢力を及ぼして、挿入された指先の根元側に挟持力を付与する根元側閉バネと、を設けたことを特徴とする。
【０００７】
請求項２の発明は、請求項１に記載の光電式生体情報測定装置の指先クリップであって、前記軸を受ける軸受孔を、前記挟持部材が離間する方向に長い長孔とし、該長孔よりなる軸受孔に前記軸をスライド自在に嵌めることにより、両挟持部材の連結部に挟持部材が開く方向の遊びを持たせたことを特徴とする。
【０００８】
請求項３の発明は、請求項１または２に記載の光電式生体情報測定装置の指先クリップであって、前記指先側閉バネを前記軸に近い挟持部材上の先端側の作用点に圧接させ、前記根元側閉バネを前記軸から遠い挟持部材上の手元端側の作用点に圧接させたことを特徴とする。
【０００９】
請求項４の発明は、請求項３に記載の光電式生体情報測定装置の指先クリップであって、前記指先側閉バネと前記根元側閉バネとを１枚の板バネ上に形成したことを特徴とする。
【００１０】
請求項５の発明は、請求項４に記載の光電式生体情報測定装置の指先クリップであって、一対の挟持バネ片を有するＵ字状に湾曲した板バネを、前記一対の挟持部材の先端部に、該先端部を前記挟持バネ片で挟むように装着し、各挟持バネ片に、互いにスリットで分割された長さの異なる第１バネ片と第２バネ片を設け、短い方の第１バネ片を前記指先側閉バネとして、その先端を、前記軸に近い挟持部材上の先端側の作用点に圧接させ、長い方の第２バネ片を前記根元側閉バネとして、その先端を、前記軸から遠い挟持部材上の手元端側の作用点に圧接させたことを特徴とする。
【００１１】
請求項６の発明は、請求項１または２に記載の光電式生体情報測定装置の指先クリップであって、前記一対の挟持部材のうちの第１の挟持部材の手元端側を前記指先挿入部を開く方向に向けて付勢する開バネを設けると共に、第２の挟持部材にスライド自在にスライドカバーを設け、該スライドカバーは、一方へスライドしたとき前記開バネによる第１の挟持部材の開方向への変位を許し、他方へスライドしたとき自身に形成してあるカムが第１の挟持部材の手元端側を押圧して、それにより、前記開バネの付勢力に抗して第１の挟持部材を閉方向へ変位させるものであり、更に、前記スライドカバーを他方へスライドさせる方向へ付勢する戻しバネを設け、この戻しバネによる前記スライドカバーへの付勢力を前記根元側閉バネの付勢力として利用したことを特徴とする。
【００１２】
請求項７の発明は、請求項６に記載の光電式生体情報測定装置の指先クリップであって、１枚の板バネ上に、互いにスリットで分割された第１バネ片と第２バネ片を設け、第１バネ片を前記指先側閉バネとして利用し、第２バネを前記開バネとして利用したことを特徴とする。
【００１３】
請求項８の発明は、請求項６または７に記載の光電式生体情報測定装置の指先クリップであって、前記スライドカバーを、回転スライド自在に前記第２の挟持部材に設けたことを特徴とする。
【００１４】
請求項９の発明は、請求項６または７に記載の光電式生体情報測定装置の指先クリップであって、前記スライドカバーを、直線スライド自在に前記第２の挟持部材に設けたことを特徴とする。
【発明の効果】
【００１５】
請求項１の発明によれば、軸による両挟持部材の先端の連結部に挟持部材を開く方向の遊びを持たせており、しかも、閉バネとして、軸に近い先端側の部分に付勢力を及ぼして、挿入された指先の先端側に挟持力を付与する指先側閉バネと、軸から遠い手元端側の部分に前記付勢力を及ぼして、挿入された指先の根元側に挟持力を付与する根元側閉バネとを設けたので、指先の先端側と根元側に共に挟持部材をフィットさせることができ、外光による影響や光漏れの影響をあまり受けずに、安定した状態で精度良く指先からの生体情報を測定することができる。
【００１６】
請求項２の発明によれば、前記軸を受ける軸受孔を長孔とすることにより、連結部に遊びを持たせたので、安定した状態で精度良く指先からの生体情報を測定することができる。
【００１７】
請求項３の発明によれば、指先側閉バネを軸に近い挟持部材上の先端側の作用点に圧接させ、根元側閉バネを軸から遠い挟持部材上の手元端側の作用点に圧接させたので、両バネにより力を加える点を明確に分けることができ、適正なフィット状態を容易に作り出すことができる。
【００１８】
請求項４の発明によれば、指先側閉バネと根元側閉バネとを１枚の板バネ上に形成したので、部品点数を減らすことができ、コストを抑制することができる。
【００１９】
請求項５の発明によれば、Ｕ字状に湾曲した板バネに指先側閉バネと根元側閉バネを設け、これを挟持部材の先端側に装着したので、簡単な構成でフィット状態の改善を図ることができる。
【００２０】
請求項６の発明によれば、スライドカバーを一方に操作することにより、挟持部材を開バネの力で開くことができるので、その状態で指先を容易に挿入することができる。また、挿入した状態でスライドカバーを離すことにより、戻しバネの力で挟持部材を閉じることができるので、指先を容易に挟持することができる。その場合、戻しバネの力がスライドカバーのカムを介して挟持部材の手元端側に作用するので、指先側と根元側を共に安定した状態で挟持することができる。
【００２１】
請求項７の発明によれば、１枚の板バネ上に、互いに反対方向に力を発揮する指先側閉バネと開バネとを形成したので、部品点数を減らすことができると共に、取付も簡単にできるようになり、コストを抑制することができる。
【００２２】
請求項８の発明によれば、スライドカバーを回転スライド自在に設けたので、スライドカバーの回転操作だけで指先を挟むことができる。
【００２３】
請求項９の発明によれば、スライドカバーを直線スライド自在に設けたので、スライドカバーの直線操作だけで指先を挟むことができる。
【発明を実施するための最良の形態】
【００２４】
以下、本発明の各実施形態を図面を参照しながら説明する。
＜第１実施形態＞
図１は本発明の基本構成例として示す第１実施形態の指先クリップの側面図（ａ）及び正面図（ｂ）、図２は指の太い人に適用した場合（ａ）と指の細い人に適用した場合（ｂ）を比べて示す図である。
【００２５】
この指先クリップは、光電式生体情報測定装置（例えば、パルスオキシメータ）の指先クリップであり、指先挿入部５を挟んで対向する第１、第２の一対の挟持部材１、２と、指先Ｍの差込方向Ｓの先端側に配され、第１、第２の挟持部材１、２を、指先挿入部５を開閉する方向に回動自在に連結する軸１３と、第１、第２の挟持部材１、２を指先挿入部５を閉じる方向に付勢する閉バネ（後述する１４Ａ、１４Ｂ）と、第１、第２の挟持部材１、２の一方に設けられた発光部６、及び、他方に設けられ、発光部６から照射され指先Ｍを通過した光を受光する受光部７と、を具備している。
【００２６】
なお、発光部６と受光部７の配置は、上記と逆であってもよい。また、必ずしも各挟持部材１、２の一方に発光部６を設け、他方に受光部７を設けることに限定されるものでもない。要するに、挟持部材１、２で指先Ｍを挟持した際に、発光部６から指先Ｍに向けて光を出射し、受光部７がその光を指先Ｍを介して受光できる関係であればよい。パルスオキシメータの場合であれば、発光部６は、赤外光と赤色光を出射する機能を有する。
【００２７】
本実施形態の指先クリップの場合、軸１３を受ける軸受孔１２を、挟持部材１、２が離間する方向に長い長孔とし、その長孔（軸受孔１２）に軸１３をスライド自在に嵌めることにより、両挟持部材１、２の連結部に挟持部材１、２が開く方向の遊びを持たせてある。また、閉バネとして、軸１３に近い先端側の部分に付勢力を及ぼして、挿入された指先Ｍの先端側の部分に挟持力ＦＡを付与する指先側閉バネ１４Ａと、軸１３から遠い手元端側の部分に付勢力を及ぼして、挿入された指先Ｍの根元側の部分に挟持力ＦＢを付与する根元側閉バネ１４Ｂとを設けている。
【００２８】
このように構成したことにより、図２（ａ）、（ｂ）に示すように、指先Ｍの太い細いに拘わらず、指先Ｍの先端側と根元側に共に挟持部１、２を隙間なくフィットさせることができ、外光による影響や光漏れの影響をあまり受けずに、安定した状態で精度良く指先からの生体情報を測定することができる。
【００２９】
＜第２実施形態＞
図３は第２実施形態の指先クリップを示している。
この指先クリップは、一対の挟持バネ片２４ａ、２４ａを有するＵ字状に湾曲した板バネ２４を、第１、第２の挟持部材１、２の先端部に、該先端部を挟持バネ片２４ａ、２４ａで挟むように装着し、挟持バネ片２４ａの基部側に形成した指先側閉バネ２４Ａを、軸１３に近い挟持部材１、２上の先端側の作用点に圧接させ、挟持バネ片２４ａの先部側に形成した根元側閉バネ２４Ｂを、軸１３から遠い挟持部材１、２上の手元端側の作用点に圧接させたものである。その他の構成は、第１実施形態と同様である。
【００３０】
このように構成したことにより、指先側閉バネ２４Ａが、軸１３に近い挟持部材１、２上の先端側の作用点に付勢力を及ぼして、挿入された指先Ｍの先端側の部分に挟持力ＦＡを付与する。また、根元側閉バネ２４Ｂが、軸１３から遠い挟持部材１、２上の手元端側の作用点に付勢力を及ぼして、挿入された指先Ｍの根元側の部分に挟持力ＦＢを付与する。従って、第１実施形態と同様に、指先Ｍの太い細いに拘わらず、指先Ｍの先端側と根元側に共に挟持部１、２を隙間なくフィットさせることができて、外光による影響や光漏れの影響をあまり受けずに、安定した状態で精度良く指先からの生体情報を測定することができる。
【００３１】
この場合、図４に示す構成の板バネ２５を用いれば、より好ましい。
この板バネ２５は、一対の挟持バネ片２４ａ、２４ａを有するＵ字状に湾曲したバネであり、図３と同様に、第１、第２の挟持部材１、２の先端部に、該先端部を挟持バネ片２４ａ、２４ａで挟むように装着する。各挟持バネ片２４ａ、２４ａには、互いにスリット２６で分割された長さの異なる第１バネ片２４Ａと第２バネ片２４Ｂが設けられており、短い方の第１バネ片２４Ａを指先側閉バネとして、その先端を軸１３に近い挟持部材１、２上の先端側の作用点に圧接させる。また、長い方の第２バネ片２４Ｂを根元側閉バネとして、その先端を軸１３から遠い挟持部材１、２上の手元端側の作用点に圧接させる。
【００３２】
図３の例も図４の例も、指先側閉バネ２４Ａと根元側閉バネ２４Ｂとを１枚の板バネ２４、２５上に形成したので、部品点数を減らすことができ、コストを抑制することができる。また、Ｕ字状に湾曲した板バネ２４、２５に指先側閉バネ２４Ａと根元側閉バネ２４Ｂを設け、これを挟持部材１、２の先端側に装着したので、簡単な構成でフィット状態の改善を図ることができる。
【００３３】
また、特に図４に示すように、指先側閉バネ２４Ａと根元側閉バネ１４Ｂとを別のバネ片としてスリット２６を介して分離し、指先側閉バネ２４Ａを、軸１３に近い挟持部材１、２上の先端側の作用点に圧接させ、根元側閉バネ１４Ｂを、軸１３から遠い挟持部材１、２上の手元端側の作用点に圧接させた場合は、両バネにより力を加える点を明確に分けることができるので、より適正なフィット状態を容易に作り出すことができる。
【００３４】
＜第３実施形態＞
図５は第３実施形態の指先クリップを示す。
この指先クリップでは、一対の挟持部材１、２のうちの第１の挟持部材１の手元端側を指先挿入部５を開く方向（矢印Ｇ方向）に向けて付勢する開バネ２８を新たに設けている。また、第２の挟持部材２に回転スライド自在にスライドカバー３０を設けている。３１はスライドカバー３０の回転中心軸、３０ａは滑り止めの突起である。
【００３５】
スライドカバー３０は、一方（矢印Ｅ方向）へスライドしたとき、開バネ２８による第１の挟持部材１の開方向への変位を許し、他方（矢印Ｆ方向）へスライドしたとき、自身に形成してあるカム３５が第１の挟持部材１の手元端側３６を押圧して、それにより、開バネ２８の付勢力（矢印Ｇ方向の力）に抗して第１の挟持部材１を閉方向へ変位させるものである。また、スライドカバー３０を他方（矢印Ｆ方向）へスライドさせる方向へ付勢するための戻しバネ３４を設けており、この戻しバネ３４を前記根元側閉バネとして用いている。その他の構成は、第１実施形態と同様である。
【００３６】
作用を説明すると、この指先クリップでは、図６（ａ）に示すように、スライドカバー３０を矢印Ｅ方向にスライド操作することにより、第１の挟持部材１を開バネ２８の力によって開くことができる。従って、その状態で指先を容易に指先挿入部５に挿入することができる。また、（ｂ）に示すように、挿入した状態でスライドカバー３０を離すことにより、戻しバネ３４の力でスライドカバー３０が矢印Ｆ方向に戻り、カム３５の作用で第１の挟持部材１を閉じることができ、指先を挟持することができる。その場合、戻しバネ３４の力がスライドカバー３０のカム３５を介して第１の挟持部材１の手元端側３６に作用するので、指先側と根元側にそれぞれ挟持力ＦＡ、ＦＢを作用させることができ、安定した状態で指先を挟持することができる。特にスライドカバー３０を回転スライド自在に設けているので、スライドカバー３０の回転操作だけで指先を挟むことができる。
【００３７】
即ち、指先側閉バネ１４Ａが、軸１３に近い挟持部材１、２上の先端側の作用点に付勢力を及ぼして、挿入された指先の先端側の部分に挟持力ＦＡを付与する。また、戻しバネ３４の力が、スライドカバー３０のカム３５を介して第１の挟持部材１の手元端側３６の作用点に付勢力を及ぼして、挿入された指先の根元側の部分に挟持力ＦＢを付与する。従って、第１実施形態と同様に、指先の太い細いに拘わらず、指先の先端側と根元側に共に挟持部１、２を隙間なくフィットさせることができて、外光による影響や光漏れの影響をあまり受けずに、安定した状態で精度良く指先からの生体情報を測定することができる。
【００３８】
＜第４実施形態＞
図７、図８は第４実施形態の指先クリップを示す。この第４実施形態の指先クリップは、図５の第３実施形態をより具体化したものである。この指先クリップは、スライドカバー３０を回転スライド可能に第２の挟持部材２である本体ハウジング１２０に設けている。３１はその回転中心軸である。また、本体ハウジング１２０の側面には、計測結果等を表示する表示部や操作部等１０１が備わっている。
【００３９】
第２の挟持部材２の上面にはブラケット５１が突設してあり、そのブラケット５１に設けた長孔１２に第１挟持部材１に設けた軸１３を嵌め込むことで、第１の挟持部材１の先端部が第２の挟持部材２の先端側に回動可能に連結されている。ブラケット５１の前方には１枚の板バネ４０が固定されており、その１枚の板バネ４０に、スリット（図示略）で分割された、互いに反対方向に付勢力を発揮する第１、第２の２種類のバネ片４１、４２が形成されている。第１のバネ片４１は、指先側閉バネ１４Ａとして、軸１３に近い第１の挟持部材１の先端側の作用点に圧接することで、第１の挟持部材１を閉側に付勢している。また、第２のバネ片４２は、前記開バネ２８として、第１の挟持部材１の係合部２８ｓに先端が係合されることで、第１の挟持部材１を開方向（矢印Ｇ方向）へ付勢している。
【００４０】
また、スライドカバー３０は、一方（矢印Ｅ方向）へ回転スライドしたとき、開バネ２８による第１の挟持部材１の開方向への変位を許し、他方（矢印Ｆ方向）へスライドしたとき、自身に形成してあるカム３５が第１の挟持部材１の手元端側３６を押圧して、それにより、開バネ２８の付勢力（矢印Ｇ方向の力）に抗して第１の挟持部材１を閉方向へ押圧変位させるものである。また、本体ハウジング１２０の内部には、スライドカバー３０を他方（矢印Ｆ方向）へスライドさせる方向へ付勢するための戻しバネ３４が設けられており、この戻しバネ３４による付勢力を前記根元側閉バネの付勢力として利用している。その他の構成については、第１実施形態と同様である。
【００４１】
この第４実施形態の指先クリップによれば、上記第３実施形態の指先クリップの効果に加えて、次の効果を得ることができる。即ち、反対方向への付勢力を発揮する指先側閉バネ１４Ａと開バネ２８とを、１枚の板バネ４０上に形成したので、部品点数を減らすことができると共に、取付も簡単にできるようになり、コストを抑制することができる。
【００４２】
＜第５実施形態＞
図９、図１０は第５実施形態の指先クリップを示す。この第５実施形態の指先クリップは、図７、図８の第４実施形態におけるスライドカバー３０を、回転スライド式から直線スライド式に変更したものである。
【００４３】
即ち、この実施形態のスライドカバー１３０は、第２の挟持部材２に対して直線スライド自在に取り付けられており、一方（矢印Ｈ方向）へ回転スライドしたとき、開バネ２８による第１の挟持部材１の開方向への変位を許し、他方（矢印Ｈ方向）へスライドしたとき、自身に形成してあるカム３５が第１の挟持部材１の手元端側３６を押圧して、それにより、開バネ２８の付勢力（矢印Ｇ方向の力）に抗して第１の挟持部材１を閉方向へ押圧変位させるものである。また、本体ハウジング１２０の内部には、スライドカバー３０を他方（矢印Ｉ方向）へスライドさせる方向へ付勢するための戻しバネ３４が設けられており、この戻しバネ３４による付勢力を前記根元側閉バネの付勢力として利用している。その他の構成については、第４実施形態と同様である。
【００４４】
この指先クリップでは、スライドカバー１３０を直線スライド自在に設けているので、スライドカバー１３０の直線操作だけで指先を挟むことができる。その他の作用効果は第４実施形態と全く同様である。
【図面の簡単な説明】
【００４５】
【図１】本発明の基本構成例として示す第１実施形態の指先クリップの側面図（ａ）及び正面図（ｂ）である。
【図２】同実施形態の指先クリップを指の太い人に適用した場合（ａ）と指の細い人に適用した場合（ｂ）を比べて示す図である。
【図３】本発明の第２実施形態の指先クリップを示し、（ａ）は側面図、（ｂ）は正面図である。
【図４】第２実施形態に用いる板バネの変形例を示す斜視図である。
【図５】本発明の第３実施形態の構成を示す側面図である。
【図６】同第３実施形態の作用説明図で、（ａ）は指先を挿入する前の操作状態を示す側面図、（ｂ）は指先を挿入した後の動作状態を示す側面図である。
【図７】本発明の第４実施形態の外観を示す斜視図である。
【図８】同第４実施形態の内部構成を示す側面図である。
【図９】本発明の第５実施形態の外観を示す斜視図である。
【図１０】同第５実施形態の内部構成を示す側面図である。
【図１１】従来例の指先クリップの側面図（ａ）及び正面図（ｂ）である。
【図１２】従来の指先クリップを指の太い人に適用した場合（ａ）と指の細い人に適用した場合（ｂ）を比べて示す図である。
【符号の説明】
【００４６】
Ｍ  指先
１  第１の挟持部材
２  第２の挟持部材
５  指先挿入部
６  発光部
７  受光部
１２  長孔
１３  軸
１４Ａ  指先側閉バネ
１４Ｂ  根元側閉バネ
２４，２５  板バネ
２４ａ  挟持バネ片
２４Ａ  指先側閉バネ
２４Ｂ  根元側閉バネ
２６  スリット
２８  開バネ
３０，１３０  スライドカバー
３４  戻しバネ
３５  カム
３６  手元端側
【図１】
2006305149.tif 000003
【図２】
2006305149.tif 000004
【図３】
2006305149.tif 000005
【図４】
2006305149.tif 000006
【図５】
2006305149.tif 000007
【図６】
2006305149.tif 000008
【図７】
2006305149.tif 000009
【図８】
2006305149.tif 000010
【図９】
2006305149.tif 000011
【図１０】
2006305149.tif 000012
【図１１】
2006305149.tif 000013
【図１２】
2006305149.tif 000014